(57)【要約】【課題】利便性に優れた多機能ベースを有するプレート表示装置を提供すること。【解決手段】本発明に係るはプレート表示装置の本体と、第一固定部と、第一固定部に対向する第二固定部と、第一固定部及び第二固定部の一端をそれぞれ接続する接続部で前記第一固定部、前記第二固定部、前記接続部によりギャップを形成するものと、前記プレート表示装置の裏面にピボットして前記プレート表示装置本体の視覚角度を調整するためのピボット部と、一端が前記第二固定部に接続し他端が前記ピボット部に接続する支持部を含むことを特徴とする。【選択図】図２
2008112122.tif 000002
【特許請求の範囲】
【請求項１】
プレート表示装置の本体と、
第一固定部と、第一固定部に対向する第二固定部と、第一固定部及び第二固定部の一端をそれぞれ接続する接続部で前記第一固定部、前記第二固定部、前記接続部により形成したギャップとを有する台座と、
前記プレート表示装置の裏面にピボットして前記プレート表示装置本体の視覚角度を調整するためのピボット部と、
一端が前記第二固定部に接続し他端が前記ピボット部に接続する支持部を含むことを特徴とする、
多機能ベースを有するプレート表示装置。
【請求項２】
前記第一固定部と前記第二固定部がプレートを挟むのに用いることを特徴とする、請求項１に記載の多機能ベースを有するプレート表示装置。
【請求項３】
前記第一固定部がさらに前記プレートを前記ギャップに導き入れるためのガイド面を含むことを特徴とする、請求項２に記載する多機能ベースを有するプレート表示装置。
【請求項４】
前記第二固定部がさらに前記プレートを前記ギャップに導き入れるためのガイド面を含むことを特徴とする、請求項２に記載する多機能ベースを有するプレート表示装置。
【請求項５】
前記第一固定部がさらに前記プレートを当接するための弾性突起ブロックを含むことを特徴とする、請求項２に記載する多機能ベースを有するプレート表示装置。
【請求項６】
前記第二固定部がさらに前記プレートを当接するための弾性突起ブロックを含むことを特徴とする、請求項２に記載する多機能ベースを有するプレート表示装置。
【請求項７】
前記第一固定部がさらに前記プレートを押付けて前記第二固定部を当接するためのロッキング部材を含むことを特徴とする、請求項２に記載する多機能ベースを有するプレート表示装置。
【請求項８】
前記第二固定部がさらに前記プレートを押付けて前記第二固定部を当接するためのロッキング部材を含むことを特徴とする、請求項２に記載する多機能ベースを有するプレート表示装置。
【請求項９】
前記接続部が弾性材料から構成されることを特徴とする、請求項２に記載する多機能ベースを有するプレート表示装置。
【請求項１０】
前記接続部が可撓材料から構成されることを特徴とする、請求項２に記載する多機能ベースを有するプレート表示装置。
【請求項１１】
前記接続部がさらに前記第一固定部と前記第二固定部の間の距離を調整し前記ギャップのサイズを決める調整部を含むとを特徴とする、請求項２に記載する多機能ベースを有するプレート表示装置。
【請求項１２】
前記第一固定部がさらに前記第一固定部をプレートに固定されるためのロッキング部材を含むことを特徴とする、請求項１に記載する多機能ベースを有するプレート表示装置。
【請求項１３】
前記第一固定部、前記第二固定部、前記接続部が一体に形成されることを特徴とする、請求項１に記載する多機能ベースを有するプレート表示装置。
【請求項１４】
前記第一固定部が所定プレートでの正投影長さは前記第二固定部が前記所定プレートでの正投影長さより長いことを特徴とする、請求項１に記載する多機能ベースを有するプレート表示装置。
【請求項１５】
前記第一固定部と前記第二固定部が互いに平行であることを特徴とする、請求項１に記載する多機能ベースを有するプレート表示装置。
【請求項１６】
前記第二固定部がさらに前記第二固定部をプレートに固定するためのロッキング部材を含むことを特徴とする、請求項１に記載する多機能ベースを有するプレート表示装置。
【請求項１７】
前記ギャップがプレートを収納するのに用いることを特徴とする、請求項１に記載する多機能ベースを有するプレート表示装置。
【請求項１８】
前記第一固定部がさらに前記プレートを前記ギャップに導き入れるためのガイド面を含むことを特徴とする、請求項１６に記載する多機能ベースを有するプレート表示装置。
【請求項１９】
前記第二固定部がさらに前記プレートを前記ギャップに導き入れるためのガイド面を含むことを特徴とする、請求項１６に記載する多機能ベースを有するプレート表示装置。
【請求項２０】
前記接続部がさらに前記接続部をプレートに固定するためのロッキング部材を含むことを特徴とする、請求項１に記載する多機能ベースを有するプレート表示装置。
【請求項２１】
前記支持部がさらに前記ピボット部と前記第二固定部の間の距離を調整する伸縮部を含むことを特徴とする、請求項１に記載する多機能ベースを有するプレート表示装置。
【請求項２２】
前記伸縮部と前記ピボット部が接続されることを特徴とする、請求項２１に記載する多機能ベースを有するプレート表示装置。
【請求項２３】
前記支持部がさらにスライド溝を含み前記ピボット部を前記スライド溝に嵌め込み移動させることを特徴とする、請求項１に記載する多機能ベースを有するプレート表示装置。
【請求項２４】
前記支持部が前記第二固定部に位置し前記接続部の一端から離れることを特徴とする、請求項１に記載する多機能ベースを有するプレート表示装置。
【請求項２５】
前記支持部が前記第二固定部より直接延伸して形成されることを特徴とする、請求項２４に記載する多機能ベースを有するプレート表示装置。
【請求項２６】
前記ピボット部がピボットの構造であることを特徴とする、請求項１に記載する多機能ベースを有するプレート表示装置。
【請求項２７】
前記ピボット部がボール状の関節構造であることを特徴とする、請求項１に記載する多機能ベースを有するプレート表示装置。
【発明の詳細な説明】
【技術分野】
【０００１】
本発明はプレート表示装置であって、特に多機能ベースを有するプレート表示装置に関するものである。
【背景技術】
【０００２】
現在一般の液晶表示装置はその多くにベースが取り付けられ、テーブルに置くことができる。
またピボットを取り付けることでユーザーが鑑賞用、或いは使用に際して液晶表示装置の角度を調整できるようになっている。
然しながら、ユーザーは装飾目的、若しくはスペース的制限のため、液晶表示装置を壁に掛けようとすると、壁掛け用支持フレームを据え付けなければならない。支持フレームを壁に固定させなくては液晶表示装置を掛けるという目的が達せられない。
また、もし壁に掛けている液晶表示装置を取外そうとすれば、まず壁の支持フレームから抜き取らないと液晶表示装置を取外すことができず、時間、労力を共に費やして経済原則に合わない。
ユーザーの中にはこれが面倒で、液晶表示装置をテーブルに置いておくだけで、これではユーザーの目に留まりやすいように液晶表示装置の置き場所を自由に調整したいという臨機応変のニーズに対応することができない。
【０００３】
市販の液晶表示装置はサイズが次第に大きくなっており、テーブルに置くとかなり広いスペースを取るばかりでなく、ユーザーは他のモノをテーブルに置くことも出来ず、スペースの有効利用が出来なくなる。
このため液晶表示装置のベース構造を如何に改良し、ユーザーが液晶表示装置を気軽にテーブルに置いたり、或いは壁に掛けたり出来るよう、さらにはスペースをもっと弾力的に活用できるよう喫緊の解決が待たれることが課題となっている。
【発明の開示】
【発明が解決しようとする課題】
【０００４】
本発明は上記の課題を解決できる、多機能ベースを有するプレート表示装置を提供することを目的とする。
【課題を解決するための手段】
【０００５】
本発明が開示する多機能ベースを有するプレート表示装置は、プレート表示装置の本体、第一固定部、第二固定部、接続部、支持部及びピボット部を含む。そのうち、第二固定部は第一固定部と向かい合い、接続部でもって第一固定部及び第二固定部の一端とそれぞれ接続し、第一固定部、第二固定部、接続部によりギャップを形成する。
また、支持部の一端を第二固定部に接続し、他端はピボット部に接続し、ピボット部をプレート表示装置本体の裏面にピボットすると、ピボット部を使用することでプレート表示装置本体の視覚角度を調整できる。
すなわち、本願の第１発明は、プレート表示装置の本体と、第一固定部と、第一固定部に対向する第二固定部と、第一固定部及び第二固定部の一端をそれぞれ接続する接続部で前記第一固定部、前記第二固定部、前記接続部により形成したギャップとを有する台座と、前記プレート表示装置の裏面にピボットして前記プレート表示装置本体の視覚角度を調整するためのピボット部と、一端が前記第二固定部に接続し他端が前記ピボット部に接続する支持部を含むことを特徴とする、多機能ベースを有するプレート表示装置を提供する。
本願の第２発明は、前記第一固定部と前記第二固定部がプレートを挟むのに用いることを特徴とする、第１発明の多機能ベースを有するプレート表示装置を提供する。
本願の第３発明は、前記第一固定部がさらに前記プレートを前記ギャップに導き入れるためのガイド面を含むことを特徴とする、第２発明の多機能ベースを有するプレート表示装置を提供する。
本願の第４発明は、前記第二固定部がさらに前記プレートを前記ギャップに導き入れるためのガイド面を含むことを特徴とする、第２発明の多機能ベースを有するプレート表示装置を提供する。
本願の第５発明は、前記第一固定部がさらに前記プレートを当接するための弾性突起ブロックを含むことを特徴とする、第２発明の多機能ベースを有するプレート表示装置を提供する。
本願の第６発明は、前記第二固定部がさらに前記プレートを当接するための弾性突起ブロックを含むことを特徴とする、第２発明の多機能ベースを有するプレート表示装置を提供する。
本願の第７発明は、前記第一固定部がさらに前記プレートを押付けて前記第二固定部を当接するためのロッキング部材を含むことを特徴とする、第２発明の多機能ベースを有するプレート表示装置を提供する。
本願の第８発明は、前記第二固定部がさらに前記プレートを押付けて前記第二固定部を当接するためのロッキング部材を含むことを特徴とする、第２発明の多機能ベースを有するプレート表示装置を提供する。
本願の第９発明は、前記接続部が弾性材料から構成されることを特徴とする、第２発明の多機能ベースを有するプレート表示装置を提供する。
本願の第１０発明は、前記接続部が可撓材料から構成されることを特徴とする、第２発明の多機能ベースを有するプレート表示装置を提供する。
本願の第１１発明は、前記接続部がさらに前記第一固定部と前記第二固定部の間の距離を調整し前記ギャップのサイズを決める調整部を含むとを特徴とする、第２発明の多機能ベースを有するプレート表示装置を提供する。
本願の第１２発明は、前記第一固定部がさらに前記第一固定部をプレートに固定されるためのロッキング部材を含むことを特徴とする、第１発明の多機能ベースを有するプレート表示装置を提供する。
本願の第１３発明は、前記第一固定部、前記第二固定部、前記接続部が一体に形成されることを特徴とする、第１発明の多機能ベースを有するプレート表示装置を提供する。
本願の第１４発明は、前記第一固定部が所定プレートでの正投影長さは前記第二固定部が前記所定プレートでの正投影長さより長いことを特徴とする、第１発明の多機能ベースを有するプレート表示装置を提供する。
本願の第１５発明は、前記第一固定部と前記第二固定部が互いに平行であることを特徴とする、第１発明の多機能ベースを有するプレート表示装置を提供する。
本願の第１６発明は、前記第二固定部がさらに前記第二固定部をプレートに固定するためのロッキング部材を含むことを特徴とする、第１発明の多機能ベースを有するプレート表示装置を提供する。
本願の第１７発明は、前記ギャップがプレートを収納するのに用いることを特徴とする、第１発明の多機能ベースを有するプレート表示装置を提供する。
本願の第１８発明は、前記第一固定部がさらに前記プレートを前記ギャップに導き入れるためのガイド面を含むことを特徴とする、第１６発明の多機能ベースを有するプレート表示装置を提供する。
本願の第１９発明は、前記第二固定部がさらに前記プレートを前記ギャップに導き入れるためのガイド面を含むことを特徴とする、第１６発明の多機能ベースを有するプレート表示装置を提供する。
本願の第２０発明は、前記接続部がさらに前記接続部をプレートに固定するためのロッキング部材を含むことを特徴とする、第１発明の多機能ベースを有するプレート表示装置を提供する。
本願の第２１発明は、前記支持部がさらに前記ピボット部と前記第二固定部の間の距離を調整する伸縮部を含むことを特徴とする、第１発明の多機能ベースを有するプレート表示装置を提供する。
本願の第２２発明は、前記伸縮部と前記ピボット部が接続されることを特徴とする、第２１発明の多機能ベースを有するプレート表示装置を提供する。
本願の第２３発明は、前記支持部がさらにスライド溝を含み前記ピボット部を前記スライド溝に嵌め込み移動させることを特徴とする、第１発明の多機能ベースを有するプレート表示装置を提供する。
本願の第２４発明は、前記支持部が前記第二固定部に位置し前記接続部の一端から離れることを特徴とする、第１発明の多機能ベースを有するプレート表示装置を提供する。
本願の第２５発明は、前記支持部が前記第二固定部より直接延伸して形成されることを特徴とする、第２４発明の多機能ベースを有するプレート表示装置を提供する。
本願の第２６発明は、前記ピボット部がピボットの構造であることを特徴とする、第１発明の多機能ベースを有するプレート表示装置を提供する。
本願の第２７発明は、前記ピボット部がボール状の関節構造であることを特徴とする、第１発明の多機能ベースを有するプレート表示装置を提供する。
【発明の効果】
【０００６】
プレート表示装置本体をテーブルに置こうとする際には、第一固定部並びに第二固定部でもってテーブルを挟んでテーブルの縁に固定したり、プレート表示装置本体を直接テーブルに置いたりすることも出来、プレート表示装置本体を適当な角度に調整して鑑賞することが出来る。
プレート表示装置本体を壁に掛けようと思えば、第一固定部並びに第二固定部でもって仕切り板を挟み、プレート表示装置本体を仕切り板に掛けたり、ユーザーは第一固定部を直接壁に固定したりすることも出来、これによってユーザーは気軽にプレート表示装置本体を異なった位置に置くことができる。
【発明を実施するための最良の形態】
【０００７】
以下に、図面を参照しながら本発明の好ましい実施例について詳しく説明する。
【実施例】
【０００８】
図１Ａ、図１Ｂ及び図２に、本発明に係る多機能ベースを有するプレート表示装置の一例を示す。
【０００９】
プレート表示装置２の多機能ベース１は、第一固定部１０、第二固定部１２、接続部１４、ピボット部１６及び支持部１８を含む。
すなわち多機能ベース１は、プレート表示装置の本体２と、台座１５（第一固定部１０と、第一固定部１０に対向する第二固定部１２と、第一固定部１０及び第二固定部１２の一端をそれぞれ接続する接続部１４で第一固定部１０、第二固定部１２、接続部１４によりＵ字型に形成したギャップ１３とにより構成）と、プレート表示装置の裏面にピボットしてプレート表示装置本体２の視覚角度を調整するためのピボット部１６と、一端が第二固定部１２に接続し、他端記ピボット部１６に接続する支持部１８を含むものである。
【００１０】
第一固定部１０は長方形のプレートで（図１Ａ参照）、一つ以上のバー体で構成された支持フレームでもある（図１Ｂ参照）。
【００１１】
第二固定部１２は長方形のプレートで（図１Ａ参照）、一つ以上のバー体で構成された支持フレームでもあり（図１Ｂ参照）、第二固定部１２と第一固定部１０の間にギャップ１３を形成し、その内側の一端にガイド面１２１を伸ばしている。
【００１２】
接続部１４は長方形のプレートで（図１Ａ参照）、一つ以上のバー体で構成された支持フレームでもあり（図１Ｂ参照）、第一固定部１０及び第二固定部１２を接続してギャップ１３を形成し、第一固定部１０、第二固定部１２及び接続部１４によりＵ字型の台座１５を形成する。
【００１３】
図２で示すように、ピボット部１６はプレート表示装置本体２の視覚角度を調整するために、プレート表示装置本体２の裏面にピボットしており、ユーザーが鑑賞したり使用できるように、プレート表示装置本体２はピボット部１６に向かい合って回転でき、その上、ピボット部１６はピボット構造、若しくはボール状の関節構造となっている。
【００１４】
支持部１８は接続部１４の一端から離れた第二固定部１２に位置し、支持部１８の一端は第二固定部１２に接続し、他端はピボット部１６に接続している。
【００１５】
本発明が開示する構造によれば、第一固定部１０、第二固定部１２及び接続部１４は一体をなしており、第二固定部１２のガイド面１２１は直接支持部１８へと延びており、さらに第一固定部１０のプレートを置く正投影の長さは相対的に第二固定部１２のプレートを置く正投影の長さよりも長く、かつ第一固定部１０は、第二固定部１２と互いに平行である。
このほか、第一固定部１０、第二固定部１２及び接続部１４は実際の設計上の必要により別々な形をしたものを再度組み合わせている。
【００１６】
上記の説明において、第一固定部１０、第二固定部１２及び接続部１４より構成する台座１５は、第二固定部１２のガイド面１２１でもって、被支持部材であるプレート３をギャップ１３内に導き入れて、第一固定部１０並びに第二固定部１２でもってプレート３を挟み込めるように構成されている。
被支持部材であるプレート３はテーブル３１（図４Ａ参照）、仕切り板３２（図４Ｂ参照）若しくは壁３３（図３Ｄ参照）等を含むものである。
接続部１４はプレート状金属材料のような弾性素材又は可撓材料から造られ、第一固定部１０並びに第二固定部１２で異なる厚みのプレート３を弾力的に挟むのである。
さらに、プレート３をギャップ１３に導き入れるために、第一固定部１０にはガイド面を取り付けることも出来る。
プレート３をギャップ１３に入ると、ギャップ１３を直接利用してプレート３を収納し、挟み固定することをしない。
【００１７】
図３Ａ並びに図３Ｂで示すように、ユーザーが直接台座１５をテーブル３１の上に置いて使用する場合は、台座１５と支持部１８によりプレート表示装置本体２を支え、ピボット部１６でプレート表示装置本体２を適当な角度に調整することで鑑賞したり使用したりできる。
テーブル３１のスペースが不足しているか、或いはその他の要因でプレート表示装置本体２をテーブル３１の上に置けない場合には、第二固定部１２のガイド面１２１でテーブル３１をギャップ１３に導き入れ、また第一固定部１０並びに第二固定部１２でテーブル３１を挟んでテーブル３１の縁に固定して、プレート表示装置本体２を適当な角度に調整すれば、鑑賞したり使用したりすることができる。
【００１８】
また図３Ｃで示すように、ユーザーがプレート表示装置本体２を掛けようとする場合には、まず第二固定部１２のガイド面１２１で仕切り板３２をギャップ１３に導き入れ、第一固定部１０並びに第二固定部１２で仕切り板３２を挟んで、台座１５を仕切り板３２に掛け、台座１５および支持部１８によってプレート表示装置本体２を支えるようにする。
プレート表示装置本体２を仕切り板３２に掛けることで、ユーザーはピボット部１６でプレート表示装置本体２の角度を調整するだけで鑑賞したり使用したりすることが出来る。
【００１９】
図３Ｄで示すように、ユーザーはロッキング部材１７を用いて第一固定部１０を壁３３に固定することてで、プレート表示装置本体２を壁に掛けることもできる。
プレート表示装置本体２を壁に掛けた状態でプレート表示装置本体２を適当な角度に調整して鑑賞したり使用したりすることが出来る。
或いはまた、ユーザーは異なったスペースのニーズにより、ロッキング部材１７を用いて第二固定部１２、若しくは接続部１４を固定ししてもよい。
このように固定することでユーザーのスペース配置を弾力的に拡げ、ユーザーのスペース装飾効果を高めることができる。
【００２０】
図３Ｅで示すように、台座１５によるプレート３の挟み効果を高めるため、第一固定部１０に弾性突起ブロック１５１を形成してもよい。
本例にあっては、プレート３がガイド面１２１に導かれてギャップ１３に入ると、弾性突起ブロック１５１がプレート３に当接して、プレート３を第二固定部１２に密着させることかできるのでプレート３は容易には抜けなくなる。
さらに、弾性突起ブロック１５１は第二固定部１２にも形成可能で、同様に台座１５によるプレート３を挟む効果を高める役割をすることができる。
【００２１】
図４Ａで示すように、台座１５がテーブル３１を挟んでプレート表示装置本体２をテーブルの縁に固定する場合、締め付けねじ等のロッキング部材１７を第一固定部１０に螺着しておくと、第一固定部１０を突き抜けたロッキング部材１７がテーブル３１を押し上げることで、テーブル３１を第二固定部１２に当接させるので挟持効果を高めることができる。
本例にあっては異なった厚みのテーブル３１を挟むことが可能となり、ユーザーは気軽にプレート表示装置本体２と厚みの異なったテーブル３１を組み合わせて使用することで利便性が向上する。
また、図４Ｂで示すように、プレート表示装置本体２を縦向きの仕切り板３２に掛ける場合には、台座１５を仕切り板３２に挟み込んで掛け止めした後、ユーザーが第一固定部１０に突き抜けて螺着したロッキング部材１７を締め付けることにより、仕切り板３２を第二固定部１２に当接させて挟持効果を高めることができる。
これによって異なった厚みの仕切り板３２を挟むことができて、使用の際の利便性が向上する。
【００２２】
上記に説明したロッキング部材１７は、第一固定部１０だけでなく、第二固定部１２にも突き抜けて螺着することで、テーブル３１、若しくは仕切り板３を第一固定部１０に当接させて、同様に挟持効果を高めることが出来る。
またプレート表示装置本体２を異なった厚みのテーブル３１、若しくは仕切り板３２に挟持させて取り付けることもできる。
【００２３】
その上、台座１５がテーブル３１を挟みプレート表示装置本体２をテーブルの縁に固定させると、ユーザーはロッキング部材１７でもって台座１５をテーブル３１に固定することが出来る。
そしてプレート表示装置本体２を仕切り板３２に掛けるのに、ユーザーはロッキング部材１７で台座１５を仕切り板３２に固定し、これによりプレート表示装置本体２をテーブル３１、若しくは仕切り板３２に対してなお一層しっかりと固定することが出来る。
【００２４】
図５で示すように、接続部１４はさらにギャップ１３のサイズを調整するための調整部１４１を含むものであってもよい。
調整部１４１は例えばスライド位置を維持可能な嵌合構造を採用できる。
プレート３が厚めであるときに、調整部１４１でもってギャップ１３を大きく調整するだけで、厚めのプレート３を挟むことができる。
これとは反対に、調整部１４１でもってギャップ１３を小さく調整するだけで、薄いプレート３を挟むこともできる。
本例にあっては、異なった厚みのプレート３を挟むことができるため、使用時の利便性のさらなる向上につながる。
【００２５】
図６Ａで示すように、支持部１８はさらに伸び縮みさせるための伸縮部１８１を含むものであってもよい。
ユーザーがプレート表示装置本体２をテーブル３１に置いたり、或いはテーブル３１に挟んでプレート表示装置本体２をテーブルの縁に固定させると、ユーザーは伸縮部１８１を伸ばしたり縮めたりして支持部１８の長さを任意の長さに調整でき、これによりユーザーはプレート表示装置本体２を鑑賞時或いは使用時の高さに合わせて調整することができる。
また図６Ｂで示すように、ユーザーがプレート表示装置本体２を仕切り板３２に掛けるか、或いは図３Ｄの壁３３に掛ける場合に、ユーザーが伸縮部１８１を任意に伸縮して支持部１８の長さを調整でき、これによりユーザーはプレート表示装置本体２と仕切り板３２、壁３３の間の距離（前後方向の距離）を任意に調整することができる。
【００２６】
上記の伸縮部１８１は支持部１８の一端に取り付け可能で、ピボット部１６と接続するか、或いは伸縮部１８１を支持部１８の中段ポジションに取り付けることも可能であり、何れも支持部１８の長さを調整する目的を達することができる。
【００２７】
図７Ａならびに図７Ｂで示すように、支持部１８はピボット部１６に接続する側の一端にスライド溝１８２を形成して、ピボット部１６をスライド溝１８２に嵌め込んでスライド可能に連結してもよい。
支持部１８に対してピボット部１６を左右方向にスライド自在に構成することで、ユーザーがいつでもプレート表示装置本体２の位置を左右に調節できるので、これによってユーザーが鑑賞したり使用したりする利便性を高めることが出来る。
【００２８】
本発明における好ましい実施例によると、上記した説明中における調整部１４１と伸縮部１８１は、同軸を嵌め込んだ外パイプ及び内パイプを含み、外パイプ及び内パイプを相対移動させて伸び縮みさせることが可能な構造になっている。
本発明は上記に例示した伸縮可能な構造に限定されるものではなく、公知の各種の伸縮構造が適用可能でる。
【００２９】
本発明で開示した構造は、プレート表示装置を直接テーブルに置いたり、或いは直接テーブルの縁に挟んだりでき、ユーザーがプレート表示装置を壁に掛けようとする際に、容易に仕切り板に掛けたり、或いは壁に固定させたりして、従来の構造での時間と労力を費やして脱着するという欠点を解決し、ユーザーの視覚的ニーズに応じて自由にプレート表示装置を置く位置を調整でき、その上プレート表示装置の装飾効果を高めることもでき、使用スペースを節約できるだけでなく、ユーザーのスペース配置にも便利である。
【００３０】
本発明の技術内容は既に好ましい実施例を以って上記に開示したが、これをもって本発明を限定するものではなく、当業者により本発明の精神を逸脱しない範囲で行なった些細な変更並びに修飾は、全て本発明の範疇に含まれるものである。
【図面の簡単な説明】
【００３１】
【図１Ａ】本発明における第一の実施例の立体図（一）である。
【図１Ｂ】本発明における第一の実施例の立体図（二）である。
【図２】本発明における第一の実施例の断面図である。
【図３Ａ】本発明におけるテーブルに置いた第一の実施例の概略図である。
【図３Ｂ】本発明におけるテーブルに挟んだ第一の実施例の概略図である。
【図３Ｃ】本発明における仕切り板に掛けた第一の実施例の概略図である。
【図３Ｄ】本発明における壁に固定した第一の実施例の概略図である。
【図３Ｅ】本発明における弾性突起ブロックでプレートを当接した第一の実施例の概略図である。
【図４Ａ】本発明におけるテーブルに挟んだ第二の実施例の概略図である。
【図４Ｂ】本発明における仕切り板に掛けた第二の実施例の概略図である。
【図５】本発明におけるギャップを調整した第三の実施例の概略図である。
【図６Ａ】本発明におけるプレート表示装置の位置を調整した第四の実施例の概略図（一）である。
【図６Ｂ】本発明におけるプレート表示装置の位置を調整した第四の実施例の概略図（二）である。
【図７Ａ】本発明における第五の実施例の断面図である。
【図７Ｂ】本発明におけるプレート表示装置の位置を調整した第五の実施例の概略図である。
【符号の説明】
【００３２】
１・・・・・・多機能ベース
１０・・・・・第一固定部
１２・・・・・第二固定部
１２１・・・・ガイド面
１３・・・・・ギャップ
１４・・・・・接続部
１４１・・・・調整部
１５・・・・・台座
１５１・・・・弾性突起ブロック
１６・・・・・ピボット部
１７・・・・・ロッキング部材
１８・・・・・支持部
１８１・・・・伸縮部
１８２・・・・スライド溝
２・・・・・・プレート表示装置の本体
３・・・・・・プレート
３１・・・・・テーブル
３２・・・・・仕掛け板
３３・・・・・壁
【図１Ａ】
2008112122.tif 000003
【図１Ｂ】
2008112122.tif 000004
【図２】
2008112122.tif 000005
【図３Ａ】
2008112122.tif 000006
【図３Ｂ】
2008112122.tif 000007
【図３Ｃ】
2008112122.tif 000008
【図３Ｄ】
2008112122.tif 000009
【図３Ｅ】
2008112122.tif 000010
【図４Ａ】
2008112122.tif 000011
【図４Ｂ】
2008112122.tif 000012
【図５】
2008112122.tif 000013
【図６Ａ】
2008112122.tif 000014
【図６Ｂ】
2008112122.tif 000015
【図７Ａ】
2008112122.tif 000016
【図７Ｂ】
2008112122.tif 000017